(57)【要約】【課題】装置の大形化、またはベルマウスや送風機の低容量化を招くことなく、抗菌剤容器を、空気吸込口側から着脱できるようにする。【解決手段】熱交換器８及び送風機７を備え、送風機７により空気吸込口５から熱交換１次側空間１５内に吸込まれた空気を熱交換器８を通過させた後に熱交換２次側空間１６から空気吹出口へ吹き出すようにするとともに、熱交換器８の下方に、熱交換１次側空間１５と熱交換２次側空間１６にまたがって配置されて熱交換器８からのドレン水を捕集するドレンパン９を備えた空気調和機において、ドレンパン９内には、ドレン水に対して抗菌効果をもたらす抗菌剤２１を収納する抗菌剤容器１７を熱交換器８の空気吸込口５側に備え、またドレンパン９には、その空気吸込口側周壁の上縁部に、抗菌剤容器１７を着脱自在に支持可能な抗菌剤容器取付部２３を設け、抗菌剤容器１７には、抗菌剤容器取付部２３に取り付け可能な支持部２０を設ける。【選択図】図５
2014137202.tif 000002
【特許請求の範囲】
【請求項１】
熱交換器及び送風機を備え、前記送風機により空気吸込口から熱交換１次側空間内に吸込まれた空気を前記熱交換器を通過させた後に熱交換２次側空間から空気吹出口へ吹き出すようにするとともに、
前記熱交換器の下方に、前記熱交換１次側空間と前記熱交換２次側空間にまたがって配置されて前記熱交換器からのドレン水を捕集するドレンパンを備えた空気調和機において、
前記ドレンパン内には、ドレン水に対して抗菌効果をもたらす抗菌剤を収納する抗菌剤容器が前記熱交換器の空気吸込口側に備えられており、
前記ドレンパンには、その空気吸込口側周壁の上縁部に、前記抗菌剤容器を着脱自在に支持可能な抗菌剤容器取付部が設けられ、
前記抗菌剤容器には、前記抗菌剤容器取付部に取り付け可能な支持部が設けられていることを特徴とする空気調和機。
【請求項２】
前記抗菌剤容器取付部には、マグネットまたは磁性体が備えられており、
前記抗菌剤容器の支持部には、前記マグネットまたは磁性体に対向する位置に、磁性体またはマグネットが備えられていることを特徴とする請求項１記載の空気調和機。
【請求項３】
前記抗菌剤容器取付部には、前記空気吸込口側周壁の上縁部との間で隙間を形成する弾性片が取り付けられており、
前記抗菌剤容器の支持部には、前記弾性片に対応する位置に、前記隙間に差し込み可能なエッジを有する切欠きが形成されていることを特徴とする請求項１記載の空気調和機。
【発明の詳細な説明】
【技術分野】
【０００１】
本発明は、空気調和機の熱交換器から生成されるドレン水を捕集するドレンパンとドレン水内での雑菌の繁殖を抑制する抗菌剤の取付に関するものである。
【背景技術】
【０００２】
従来の空気調和機（例えば４方向カセット形空気調和機）は、熱交換器及び送風機を備え、熱交換器の下方には、熱交換器によって凝縮生成されたドレン水を受け止めるドレンパンを設けている。捕集されたドレン水は、ドレンポンプ、ドレン配管を通して空気調和機外部へ排出される。ドレン水には、空気中の雑菌やカビが入り込み、繁殖しやすい。雑菌やカビが繁殖すると、ドレンパン内にスライムが生成され、悪臭やドレン配管の詰まり等の排水不良を起こす原因になる恐れがある。このため、ドレンパン内に雑菌やカビの繁殖を抑制する抗菌剤を収納する容器を備え、収納容器に収容された抗菌剤の成分がドレン水に溶出することで、水周り部分に抗菌性をもたせ、繁殖を抑制している（例えば、特許文献１参照）。
【先行技術文献】
【特許文献】
【０００３】
【特許文献１】特開２００６−１９４４９４号公報（図１〜３）
【発明の概要】
【発明が解決しようとする課題】
【０００４】
ところで、空気調和機の抗菌剤は、ドレンパン内の熱交換器の空気吹出口側に配置すると、作業空間の確保が難しいので、抗菌剤の追加及び交換をするためだけにドレンパンに溜まっているドレン水の除去やドレンパンを取り外すといった作業が発生し、メンテナンス作業の工程負荷が大きくなる。
そのため、特許文献１の技術のものにおいては、抗菌剤を、ドレンパン内の熱交換器の空気吸込口側に配置するとともに、抗菌剤の支持部材を、ドレンパンの内周壁（空気吸込口側周壁）の上方を経てベルマウス方向に延出させ、その内端部を、ベルマウスの内周上端に形成された鍔部に対してビスにより着脱可能に取り付けている。そして、抗菌剤の支持部材を、空気吸込口側から着脱操作できるようにして、抗菌剤の追加及び交換をドレンパンを取り外すことなく行えるようにしている。
【０００５】
しかしながら、抗菌剤の支持部材を、ドレンパンの内周壁（空気吸込口側周壁）の上方を経てベルマウス方向に延出させ、その内端部を、ベルマウスの内周上端に形成された鍔部に対してビスにより着脱可能に取り付けるようにしたものにあっては、支持部材を配置するための空間が必要となり、装置の大形化、またはベルマウスや送風機の低容量化を余儀なくされる。
【０００６】
本発明は、前記のような課題を解決するためになされたもので、装置の大形化、またはベルマウスや送風機の低容量化を招くことなく、抗菌剤容器を、空気吸込口側から着脱できるようにすることを目的としたものである。
【課題を解決するための手段】
【０００７】
本発明に係る空気調和機は、熱交換器及び送風機を備え、送風機により空気吸込口から熱交換１次側空間内に吸込まれた空気を熱交換器を通過させた後に熱交換２次側空間から空気吹出口へ吹き出すようにするとともに、熱交換器の下方に、熱交換１次側空間と熱交換２次側空間にまたがって配置されて熱交換器からのドレン水を捕集するドレンパンを備えた空気調和機において、ドレンパン内には、ドレン水に対して抗菌効果をもたらす抗菌剤を収納する抗菌剤容器が熱交換器の空気吸込口側に備えられており、ドレンパンには、その空気吸込口側周壁の上縁部に、抗菌剤容器を着脱自在に支持可能な抗菌剤容器取付部が設けられ、抗菌剤容器には、抗菌剤容器取付部に取り付け可能な支持部が設けられているものである。
【発明の効果】
【０００８】
本発明の空気調和機によれば、ドレンパン内には、ドレン水に対して抗菌効果をもたらす抗菌剤を収納する抗菌剤容器が熱交換器の空気吸込口側に備えられており、ドレンパンには、その空気吸込口側周壁の上縁部に、抗菌剤容器を着脱自在に支持可能な抗菌剤容器取付部が設けられ、抗菌剤容器には、抗菌剤容器取付部に取り付け可能な支持部が設けられているので、ベルマウス側へ延出するような操作部がなく、装置の大形化、またはベルマウスや送風機の低容量化を招くことなく、抗菌剤容器を、空気吸込口側から着脱することができる。
【図面の簡単な説明】
【０００９】
【図１】本発明の実施形態１に係る空気調和機の据付状態を示す斜視図である。
【図２】図１のＡ−Ａ線矢視断面図である。
【図３】本発明の実施形態１に係る空気調和機の室内機本体の内部構成を示す上面図である。
【図４】本発明の実施形態１に係る抗菌剤容器を示す斜視図である。
【図５】本発明の実施形態１に係る抗菌剤容器の取付け部周辺を拡大して示す断面図である。
【図６】本発明の実施形態１に係る抗菌剤容器とドレンパンとの位置関係を示す断面図である。
【図７】本発明の実施形態１に係るドレンパンの抗菌剤容器取付部を送風機側から見た斜視図である。
【図８】本発明の実施形態１に係る抗菌剤容器を上蓋を開けた状態で示す斜視図である。
【図９】本発明の実施形態２に係るドレンパンへの抗菌剤容器の取付状態を送風機側から見た斜視図である。
【図１０】本発明の実施形態２に係る抗菌剤容器とドレンパンとの位置関係を示す断面図である。
【発明を実施するための形態】
【００１０】
本実施形態の空気調和機の定義を説明する。本実施形態による空気調和機は、空調空間の天井側に埋込状態あるいは吊下げ状態で設置され、室内空気を熱交換する熱交換器と、熱交換器の下方に設置され熱交換器から生成されるドレン水を捕集するドレンパンと、ドレンパンに捕集されたドレン水に雑菌やカビが繁殖することを抑制するための抗菌剤と、抗菌剤を収容する抗菌剤容器を備えた空気調和機である。具体的には、天井埋込形空気調和機と、天吊形空気調和機および壁掛け形空気調和機等である。ここでは天井埋込形空気調和機（４方向カセット形）を例に挙げ以下の説明を行う。但し、天井埋込形空気調和機（４方向カセット形）はあくまでも一例であり、これに限定されるものではない。
【００１１】
実施形態１．
図１は本発明の実施形態１に係る空気調和機の据付状態を示す斜視図であり、空気調和機を天井に吊り下げた状態で下方から見た図である。
本実施形態１の空気調和機は、図１のように室内機本体１と化粧パネル３が結合されている。化粧パネル３は、中央部にグリル１０とエアフィルター１１を備えた空気吸込口５が設けられているとともに、その空気吸込口５を囲うように空気吹出口４が備えられている。空気吹出口４には、風向を調節する風向ベーン２が備えられている。
【００１２】
図２は図１のＡ−Ａ線矢視断面図である。図３は本発明の実施形態１に係る空気調和機の室内機本体１の内部構成を示す上面図であり、外箱１４及び断熱材１２を外した状態の室内機本体１を表している。室内機本体１は、図２，３のように断熱材１２が内壁に備えられた外箱１４を有する。外箱１４の中央部には、円筒型の送風機（遠心ファン）７と、その送風機７を駆動させる電動機６が備えられている。また、室内機本体１には、送風機７の外側を囲うように熱交換器８が備えられている。熱交換器８の下方には、この熱交換器８から生成されるドレン水を捕集するためのドレンパン９が当該熱交換器８に沿って備えられている。ドレンパン９で捕集したドレン水は、ドレン配管１８から空気調和機外部に排出される。室内機本体１の下面には、化粧パネル３が室内機本体１の外箱１４と結合されて取り付けられている。
【００１３】
ドレンパン９内には、ドレン水に対して抗菌効果をもたらす抗菌剤２１を収納する抗菌剤容器１７が熱交換器８の空気吸込口５側に備えられている。すなわち、抗菌剤容器１７は、外箱１４、熱交換器８、及びドレンパン９で形成される空気吸込口５側の空間（熱交換１次側空間）１５内でドレンパン９に備えられている。また、ドレンパン９には、その化粧パネル３側にベルマウス１３が取り付けられている。なお、外箱１４、熱交換器８、及びドレンパン９で形成される空気吹出口４側の空間１６を、以後、熱交換２次側空間という。
【００１４】
抗菌剤２１は、ドレン水の空気中の雑菌やカビの繁殖により発生するスライムの生成を抑制し、悪臭やドレン配管１８の詰まり等の排水不良を防止するものである。抗菌剤２１を収容する抗菌剤容器１７は、ドレン配管１８の近辺に配置することで最も効果を発揮する。
【００１５】
図４は本発明の実施形態１に係る抗菌剤容器を示す斜視図である。図５は本発明の実施形態１に係る抗菌剤容器の取付け部周辺を拡大して示す断面図である。抗菌剤容器１７は、図４，５のように顆粒またはペレット状の抗菌剤２１を収容する保持容器であり、図４に示すような抗菌剤容器１７の格子状の開口部１９から抗菌剤２１がドレンパン９に溜まったドレン水に溶出し、雑菌やカビの繁殖を抑制する。
【００１６】
図６は本発明の実施形態１に係る抗菌剤容器とドレンパンとの位置関係を示す断面図であり、抗菌剤容器１７の取付け部を拡大して示している。図７は本発明の実施形態１に係るドレンパンの抗菌剤容器取付部を送風機側から見た斜視図である。図６に示すように、抗菌剤容器１７の支持部２０には、磁性のある金属材料のプレート（磁性体）２２がインサート成形にて埋め込まれている。一方、図７に示すように、ドレンパン９には、その空気吸込口側周壁の上縁部に、抗菌剤容器１７を着脱自在に支持可能な抗菌剤容器取付部２３が設けられ、この抗菌剤容器取付部２３に、図６，７のようにマグネット２４がインサート成形にて埋め込まれている。抗菌剤容器１７は、化粧パネル３を室内機本体１から取り外し、ドレンパン９の化粧パネル３側に備えられているベルマウス１３を取り外すことで、目視することができる。抗菌剤容器１７の取付時には、マグネット２４とプレート２２、つまりドレンパン９と抗菌剤容器１７とが磁力により結合される。そして、抗菌剤容器１７の支持部２０の上部に設けられている溝形の突起２０ａを引っ張ることで、ドレンパン９から抗菌剤容器１７を取り外すことができる。また、ドレンパン９には、抗菌剤容器１７を取り付ける際のガイドとなる凹部３０が形成されており、凹部３０内に抗菌剤容器取付部２３が配置されている。なお、磁性体２２とマグネット２４の取付位置関係は、逆でもよい。
【００１７】
図８は本発明の実施形態１に係る抗菌剤容器を上蓋を開けた状態で示す斜視図である。抗菌剤容器１７を形成する壁の１つとなる上蓋２５は、ヒンジ部を含み抗菌剤容器１７の本体部と一体成形品となっており、ヒンジ部を介し上蓋２５を開閉することが可能となっている。ヒンジ部は、例えば可撓性を有する薄肉部で構成される。したがって、抗菌剤容器１７の内部に収容する顆粒またはペレット状の抗菌剤２１が抗菌剤容器１７の格子状の開口部１９からドレン水に溶出し、抗菌剤２１が減少した場合に、抗菌剤２１のみの追加及び交換作業を容易に行うことができる。このため、抗菌剤２１の追加及び交換作業のメンテナンスコストを低減することができる。
【００１８】
本実施形態１の空気調和機において、送風機７が回転すると、化粧パネル３のグリル１０、エアフィルター１１を介して空気吸込口５から空気が吸込まれる。吸込まれた空気は、室内機本体１内でドレンパン９と結合されているベルマウス１３から送風機７を通り、送風機７の外側を囲う熱交換器８を通過し、その際に熱交換を行い、空気吹出口４から吹き出される。
【００１９】
以上のように、本実施形態１の空気調和機は、抗菌剤容器１７を室内機本体１内のドレンパン９の熱交換１次側空間１５に配置しているので、作業空間の確保が容易となり、抗菌剤２１の追加及び交換作業を実施する際にドレンパン９を取り外す必要がなくなる。このため、メンテナンス作業が容易となる。
【００２０】
また、抗菌剤容器１７のドレンパン９への取り付けは、抗菌剤容器１７側の磁性体２２とドレンパン９側のマグネット２４にて磁気的に行われるため、抗菌剤容器１７の位置決め及び取付けをワンタッチで行うことができる。そのため、抗菌剤容器１７をドレンパン９から着脱する際は、片手のみで容易に作業を行うことができる。
【００２１】
また、ドレンパン９の空気吸込口側周壁の上縁部に、抗菌剤容器１７を着脱自在に支持可能な抗菌剤容器取付部２３を設けているので、ベルマウス１３側へ延出するような操作部がなくなり、装置の大形化、またはベルマウス１３や送風機７の低容量化を招くことがない。
【００２２】
実施形態２．
以上の実施形態１では抗菌剤容器１７のドレンパン９への固定方法はマグネット２４による磁力にて固定としたが、抗菌剤容器１７を挟持により固定する方式としてもよい。
【００２３】
図９は本発明の実施形態２に係るドレンパンへの抗菌剤容器の取付状態を送風機側から見た斜視図である。図１０は本発明の実施形態２に係る抗菌剤容器とドレンパンとの位置関係を示す断面図である。なお、前述の実施形態１に相当する部分には同一符号を付してある。また、説明に当たっては前述の図１，２を参照するものとする。
本実施形態２の空気調和機は、図９，１０のようにドレンパン９の抗菌剤容器取付部２３に、クランク状の板金製の弾性片２６の一端側片をインサート成形し、クランク状の板金製の弾性片２６の他端側片とドレンパン９の空気吸込口側周壁の上縁部（上面）との間に隙間が形成されるようになっている。一方、抗菌剤容器１７の支持部２０には、抗菌剤容器取付部２３側の前記隙間に差し込み可能なエッジ２０ｂを有する切欠きが形成されている。すなわち、抗菌剤容器取付部２３側の隙間に抗菌剤容器１７側のエッジ２０ｂを差し込み、挟持させることで、抗菌剤容器取付部２３に抗菌剤容器１７を弾性保持できるようになっている。なお、抗菌剤容器１７の突起２０ａ部には、エッジ２０ｂ側の切欠きに対応する位置に孔２０ｃが形成されており、孔２０ｃをドレンパン９側の弾性片２６の他端側片が通過できるようになっている。
【００２４】
本実施形態２の空気調和機において、抗菌剤容器１７は、化粧パネル３を室内機本体１から取り外し、ドレンパン９の化粧パネル３側に備えられているベルマウス１３を取り外すことで、目視することができる。抗菌剤容器１７の取付は、ドレンパン９の弾性片２６の他端側片と空気吸込口側周壁の上縁部（上面）との間の隙間に、抗菌剤容器１７の切欠きのエッジ２０ｂを差し込むことで行われるため、抗菌剤容器１７の位置決め及び取付けをワンタッチで行うことができる。そのため、抗菌剤容器１７をドレンパン９から着脱する際は、片手のみで容易に作業を行うことができる。
【００２５】
本実施形態２の空気調和機においても、抗菌剤容器１７を室内機本体１内のドレンパン９の熱交換１次側空間１５に配置しているので、作業空間の確保が容易となり、抗菌剤２１の追加及び交換作業を実施する際にドレンパン９を取り外す必要がなくなる。このため、メンテナンス作業が容易となる。
【００２６】
また、本実施形態２の空気調和機においても、ドレンパン９の空気吸込口側周壁の上縁部に、抗菌剤容器１７を着脱自在に支持可能な抗菌剤容器取付部２３を設けているので、ベルマウス１３側へ延出するような操作部がなくなり、装置の大形化、またはベルマウス１３や送風機７の低容量化を招くことがない。
【符号の説明】
【００２７】
１  室内機本体、２  風向ベーン、３  化粧パネル、４  空気吹出口、５  空気吸込口、６  電動機、７  送風機、８  熱交換器、９  ドレンパン、１０  グリル、１１  エアフィルター、１２  断熱材、１３  ベルマウス、１４  外箱、１５  熱交換１次側空間、１６  熱交換２次側空間、１７  抗菌剤容器、１８  ドレン配管、１９  抗菌剤容器の格子状の開口部、２０  抗菌剤容器の支持部、２０ａ  突起、２０ｂ  エッジ、２０ｃ  孔、２１  抗菌剤、２２  金属材料のプレート、２３  抗菌剤容器取付部、２４  マグネット、２５  抗菌剤容器の上蓋、２６  弾性片、３０  凹部。
【図１】
2014137202.tif 000003
【図２】
2014137202.tif 000004
【図３】
2014137202.tif 000005
【図４】
2014137202.tif 000006
【図５】
2014137202.tif 000007
【図６】
2014137202.tif 000008
【図７】
2014137202.tif 000009
【図８】
2014137202.tif 000010
【図９】
2014137202.tif 000011
【図１０】
2014137202.tif 000012